【事件の表示】
　特願２００２−１４８１８５「空気調和装置および空気調和装置の制御方法」拒絶査定不服審判事件〔平成１５年１１月２８日出願公開、特開２００３−３３６８８９〕について、次のとおり審決する。
【結　論】
　本件審判の請求は、成り立たない。
【理　由】
１．手続きの経緯
　本願は、平成１４年　５月２２日の出願であって、平成１６年　８月１８日付けで拒絶査定がなされ（平成１６年　８月２４日発送）、これに対し、同年　９月２４日に審判請求がなされたものである。
　　　　
２．本願発明
　本願の請求項１に係る発明は、平成１６年　７月２９日付けの手続補正により補正された明細書及び図面の記載からみて、その請求項１に記載された次の事項により特定されるものである（以下、「本願発明」という。）。
「インバータ制御される圧縮機を備える空気調和装置の制御方法であって、前記インバータ制御における周波数変化のパターンに、５０Ｈｚを抜かして段階的に設定された第１パターン、および６０Ｈｚを抜かして段階的に設定された第２パターンの２つを用意しておき、前記空気調和装置に無通電の状態から電力供給を開始したときに、供給された電気の商用周波数を自動的に検知する商用周波数検出部によって、前記空気調和装置に供給される商用周波数が５０Ｈｚまたは６０Ｈｚのいずれであるかを検出し、該商用周波数が５０Ｈｚであれば前記周波数変化のパターンに前記第１パターンを選択し、前記商用周波数が６０Ｈｚであれば前記周波数変化のパターンに前記第２パターンを選択することを特徴とする空気調和装置の制御方法。」
　　
３．引用例
　これに対し、原査定の拒絶の理由に引用された特開平５−２３１７００号公報（以下、「引用例」という。）には、図面とともに以下の事項が記載されている。
イ．「リモコン装置等により設定された設定温度と、室温センサ等で検出した室内温度とを比較し、その差およびまたは室温変化に応じて、室内機より周波数コードを室外機に送り、室外側制御部にて周波数コードをメモリに記憶された運転周波数対照表により運転周波数に変換し圧縮機をインバータ制御してなる空気調和機の制御装置において、上記運転周波数対照表を商用電源周波数の５０Ｈｚ用と６０Ｈｚ用に別々に設定し、空気調和機の運転開始時に商用電源の周波数を判別し、所定の運転周波数対照表を選択するようにしてなることを特徴とする空気調和機の制御装置。」（特許請求の範囲【請求項１】）
ロ．「【従来の技術】・・・（中略）・・・。室内機制御部から図４に一例を示すように、０からＦまでの１６ケの周波数コードに対応した４ビットシリアルの運転周波数指令が室外機制御部へ送られ、室外機制御部にて予じめ記憶された運転周波数対照表により圧縮機の運転周波数に変換し、インバータ制御回路により圧縮機をインバータ制御している。運転周波数対照表には、50Hz／60Hz共用として運転周波数が設定されており、圧縮機の運転周波数が商用電源周波数の近傍またはその逓倍周波数の近傍に設定されると、電源周波数に同期して誤動作する場合があり、商用電源周波数の近傍またはその逓倍周波数の近傍（50Hz電源の場合49〜51Hz、99〜101 Hz、60Hz電源の場合59〜61Hz、119 〜121 Hz）を避けた周波数を設定して対応している。このため、商用電源周波数の近傍またはその逓倍周波数の領域において運転周波数が不連続に変わることになり、圧縮機の運転性能を充分に発揮することができなかった。」（段落【０００２】）
ハ．「【実施例】本発明の実施例を添付図面を参照して詳細に説明する。図１は本発明の構成を示すブロック図で、室内機本体またはリモコン装置により設定された設定温度が設定入力回路１により室内側制御部２に入力され、室温センサ３の検出した室内温度と比較し、設定温度との差および室温変化状態に応じて、室外機に所定の周波数コードを送出し、室外側制御部４にて周波数コードを予じめ記憶された運転周波数対照表により運転周波数に変換し波形生成して、インバータ制御回路５により圧縮機６をインバータ制御している。空気調和機の運転開始時に、商用電源７の周波数を電源周波数パルス生成回路８によりパルス化して室外側制御部４に割り込み入力して、５０Ｈｚまたは６０Ｈｚ電源であるかを判別し、予じめ記憶された運転周波数対照表を選択し、所定の運転周波数対照表により運転周波数に変換するようにしている。図２は本発明の詳細を示すフローチャートで、運転開始と同時に電源周波数パルス生成回路８により電源周波数をパルス化して室外側制御部４に送り（21）、電源周波数が５０Ｈｚかまたは６０Ｈｚかを判別し（22）、５０Ｈｚの時は５０Ｈｚ用運転周波数対照表を（23）、６０Ｈｚの時は６０Ｈｚ用運転周波数対照表を選択し（24）、室内側制御部２から送られた周波数コードにより圧縮機６の運転周波数を設定するようにしている（25）。図３は本発明の運転周波数対照表の一例を示し、暖房運転時の５０Ｈｚ時および６０Ｈｚ時の周波数コードに対する運転周波数を例示し、５０Ｈｚ時には６０Ｈｚおよびその逓倍周波数の近傍を、６０Ｈｚ時には５０Ｈｚおよびその逓倍周波数の近傍をそれぞれ有効に利用することにより、周波数コードによる運転周波数の切換えを比較的均等にし、圧縮機６の運転性能を向上することができる。」（段落【０００６】、【０００７】）
ニ．「【発明の効果】以上のように本発明においては、商用電源の電源周波数に応じて周波数コードの運転周波数対照表を選択することにより、周波数コードによる運転周波数の切換えを比較的均等にすることができ、圧縮機の運転性能の向上を図ることができる。」（段落【０００８】）
　　　
　以上の記載によれば、引用例には、インバータ制御される圧縮機を備える空気調和機の制御方法であって、前記インバータ制御における運転周波数の変化について、商用電源周波数の近傍を避けた５０Ｈｚ用及び６０Ｈｚ用の所定の運転周波数対照表を用意しておき、前記空気調和機の運転開始時に、商用電源の周波数を、電源周波数パルス生成回路によりパルス化して室外側制御部に入力し、該周波数が、５０Ｈｚか６０Ｈｚかを判別し、５０Ｈｚであれば５０Ｈｚ用の、６０Ｈｚであれば６０Ｈｚ用の運転周波数対照表を選択することを特徴とする空気調和機の制御方法（以下、「引用例発明」という。）が記載されている。
　　　
４．対比・判断
　本願発明と引用例発明とを対比すると、引用例発明の「商用電源周波数の近傍を避けた」は本願発明の「５０Ｈｚを抜かして」および「６０Ｈｚを抜かして」に相当し、以下同様に「所定の」は「設定された」に、「５０Ｈｚ用運転周波数対照表」は「第１パターン」に、「６０Ｈｚ用運転周波数対照表」は「第２パターン」に、「電源周波数パルス生成回路」は「商用周波数検出部」に、「空気調和機」は「空気調和装置」に、それぞれ相当する。
　そして、引用例発明において、図３の記載からみて、運転周波数対照表の運転周波数は、段階的に設定されているものと考えられる。
　また、引用例発明において、電源周波数パルス生成回路は、「運転開始と同時に・・・送り」（「３．ハ」参照。）との記載からみて、電源周波数を、自動的に運転制御部に送っているものと考えられる。
　したがって、両者は、
　インバータ制御される圧縮機を備える空気調和装置の制御方法であって、前記インバータ制御における周波数変化のパターンに、５０Ｈｚを抜かして段階的に設定された第１パターン、および６０Ｈｚを抜かして段階的に設定された第２パターンの２つを用意しておき、供給された電気の商用周波数を自動的に検知する商用周波数検出部によって、前記空気調和装置に供給される商用周波数が５０Ｈｚまたは６０Ｈｚのいずれであるかを検出し、該商用周波数が５０Ｈｚであれば前記周波数変化のパターンに前記第１パターンを選択し、前記商用周波数が６０Ｈｚであれば前記周波数変化のパターンに前記第２パターンを選択することを特徴とする空気調和装置の制御方法
　の点で一致し、
　次の点で相違している。
［相違点］
　本願発明では、商用周波数を検出するときを、空気調和装置に無通電の状態から電力供給を開始したときとしているのに対し、引用例発明では、空気調和機の運転開始時としている点。
　そこで、上記相違点について検討する。
　空気調和機の運転を開始する時として、無通電の状態から電力供給を開始する時も含み得るものと考えられる。
　一方、請求人の主張するように、「無通電の状態から電力供給を開始」するときが、当該装置と電源とが接続されたとき、すなわち、運転開始以前を意味し、運転開始前に、商用周波数を検出するという場合も考えられる（審判請求書第３頁第１５〜１９行）。
　しかしながら、「無通電の状態から電力供給を開始」するときを、仮に、上記のようなものと解釈したとしても、引用例発明において、このように周波数を検出し、パターンを選択するという動作を運転開始前に行うこととすることは、制御の回数を減らすために、必要に応じて、当業者であれば、容易に想到し得たことである。
　また、本願発明の奏する作用効果をみても、引用例発明から当業者が予測できる範囲のものである。
　したがって、本願発明は、引用例発明に基づいて、当業者が容易に発明をすることができたものである。
　　
５．むすび
　以上のとおり、本願発明は、引用例発明に基づいて、当業者が容易に発明をすることができたものであるから、特許法第２９条第２項の規定により特許を受けることができない。
　そうすると、他の請求項に係る発明について検討するまでもなく、本願は、拒絶すべきものである。
　よって、結論のとおり審決する。